(57)【要約】【課題】  大掛かりな工事を伴うことなく、簡単な仕組みで内部の通気性を確保し、カビの発生を低コストで抑え、又扉の開閉を取っ手によることなく可能にして、取っ手に身体が接触する問題を解消すると共に、扉開閉時の使い勝手を良くする。【解決手段】  衛生設備室の壁面１に取り付けて使用する壁取付型キャビネットである。上記の壁面１に室内側に突き出して取り付ける棚板２と、この棚板２の前側に配置して縦軸Ｌを中心に回転し棚板２の載置物を遮蔽する扉３と、この扉３を支持すると共に、壁面１と扉３との間に通気用スペースＳを形作るため室内側に突き出して壁面１に取り付ける支持部材４とで形成する。【選択図】      図１
2005065894.tif 000002
【特許請求の範囲】
【請求項１】
衛生設備室の壁面に取り付けて使用する壁取付型キャビネットであって、上記の壁面に室内側に突き出されて取り付けられる棚板と、この棚板の前側に配置されて縦軸を中心に回転し棚板の載置物を遮蔽する扉と、この扉を支持すると共に、壁面と扉との間に通気用スペースを形作るため室内側に突き出されて壁面に取り付けられる支持部材とで形成されていることを特徴とする壁取付型キャビネット。
【請求項２】
請求項１記載の壁取付型キャビネットであって、支持部材が、壁面に後端が取り付けられる上下一対の横木と、この横木の前端に縦方向に渡されて縦軸を中心に回転する垂直回転棒と、この垂直回転棒に扉を取り付けるため縦軸と直交する方向に突き出されている扉取付片とで形成されていることを特徴とする壁取付型キャビネット。
【請求項３】
請求項１記載の壁取付型キャビネットであって、支持部材が横板状に形成され、扉の上辺と下辺に対応する位置に設けられていることを特徴とする壁取付型キャビネット。
【請求項４】
請求項３記載の壁取付型キャビネットであって、支持部材の前端面に、扉の開閉時の衝撃を緩和するための緩衝部材が設けられていることを特徴とする壁取付型キャビネット。
【請求項５】
衛生設備室の壁面に取り付けて使用する壁取付型キャビネットであって、上記の壁面に室内側に突き出されて取り付けられる棚板と、この棚板の前側に配置されて棚板の載置物を遮蔽する扉と、この扉を支持すると共に、壁面と扉との間に通気用スペースを形作るため室内側に突き出されて壁面に取り付けられる支持部材とで形成され、この支持部材が横板状に形成され、扉の上辺と下辺に対応する位置に取り付けられると共に、その前端面に、横方向に延びてレールが水平状に設けられ、このレールに案内されて扉が横方向にスライド自在に設けられていることを特徴とする壁取付型キャビネット。
【請求項６】
請求項１乃至５の何れかに記載の壁取付型キャビネットであって、扉の前面が、鏡に形成されていることを特徴とする壁取付型キャビネット。
【請求項７】
請求項１乃至６の何れかに記載の壁取付型キャビネットであって、棚板が壁面に隙間をあけて取り付けられ、この隙間にミラーが通されて鏡面を前方に向けて壁面に取り付けられていることを特徴とする壁取付型キャビネット。
【請求項８】
請求項７記載の壁取付型キャビネットであって、扉の裏面が、鏡に形成されていることを特徴とする壁取付型キャビネット。
【請求項９】
請求項１乃至８の何れかに記載の壁取付型キャビネットであって、棚板が多段状に、且つ壁面に向かって上面が下り勾配に取り付けられ、この棚板が壁面に当接する位置に排水用の切欠き孔が形成され、この切欠き孔が下方の棚板になるに従って相似状に拡大されていることを特徴とする壁取付型キャビネット。
【発明の詳細な説明】
【技術分野】
【０００１】
本発明は壁取付型キャビネットに関し、更に詳しくは例えば浴室など、高温多湿雰囲気でカビが発生し易い部屋に適するよう形成した壁取付型キャビネットに関するものである。
【背景技術】
【０００２】
従来この種のキャビネットとしては、例えば空気導入口を有し、この空気導入口から空気を内部に導入する換気若しくは乾燥装置を外部に設け、内部を空気導入口より導入する空気の流通によって常に乾燥した状態に保つよう形成しているものがある（特許文献１参照）。
【０００３】
しかし従来品は、換気若しくは乾燥装置を壁面や天井の裏面に設けるものであるため、電気の配線工事や通気ダクトの接続工事に手間隙やコストがかかり、キャビネット自体の値段が高く付き、電気代がかかる、という問題点があった。
又従来この種のキャビネットは、扉を開閉するための取っ手が室内側に突き出されていることが多い。そのため従来品を使用すると、入浴時に身体が取っ手に接触する、という問題があり、又従来品は取っ手を手掛かりとして扉を開閉するのが通例のため、扉の開閉操作に自由度がなく、使い勝手が悪い、という問題点があった。
【特許文献１】特開２００１−２７５７６３号公報
【発明の開示】
【発明が解決しようとする課題】
【０００４】
本発明は、このような従来の問題点に鑑み、提案されたものである。
従って本発明の解決しようとする技術的課題は、大掛かりな工事を伴うことなく、簡単な仕組みで内部の通気性を確保できるようにしてカビの発生を低コストで抑え、又扉の開閉を取っ手によることなく可能にして、取っ手に身体が接触する問題を解消すると共に、扉開閉時の使い勝手が良くなるよう形成した壁取付型キャビネットを提供することにある。
【課題を解決するための手段】
【０００５】
本発明は、上記の課題を解決するため、次のような技術的手段を採る。
即ち本発明は、図１等に示されるように、衛生設備室の壁面１に取り付けて使用する壁取付型キャビネットであって、上記の壁面１に室内側に突き出されて取り付けられる棚板２と、この棚板２の前側に配置されて縦軸Ｌを中心に回転し棚板２の載置物を遮蔽する扉３と、この扉３を支持すると共に、壁面１と扉３との間に通気用スペースＳを形作るため室内側に突き出されて壁面１に取り付けられる支持部材４とで形成されていることを特徴とする（請求項１）。
【０００６】
ここで、衛生設備室とは、具体的には浴室、洗面室、脱衣室、シャワールーム、サウナルーム等を意味する。又ここで、壁面１に取り付けられる、とは、棚板２や支持部材４を、壁面１に一体成形、ネジ止め、接着等の手段で直接取り付けたり、例えば垂直板等に固定した状態で、この垂直板を壁面１に取り付けることで実現される。
【０００７】
又本発明の場合、支持部材４は、壁面１に後端が取り付けられる上下一対の横木４ａと、この横木４ａの前端に縦方向に渡されて縦軸Ｌを中心に回転する垂直回転棒４ｂと、この垂直回転棒４ｂに扉３を取り付けるため縦軸Ｌと直交する方向に突き出されている扉取付片４ｃとで形成されているのが好ましい（請求項２）。
【０００８】
なぜならこれによると、キャビネットの上下及び左右に通気用スペースＳが略矩形状に形成され、エアの流通が良くなって通気性が向上するだけではなく、扉３を開く際の手掛かりとなる箇所が、扉３の上下端、及び支持部材４と反対側の側端の計３箇所（３辺）になり、又垂直回転棒４ｂを握りバーとして利用でき、使い勝手が良くなるからである。
【０００９】
又本発明は、図７等に示されるように、支持部材４が横板状に形成され、扉３の上辺と下辺に対応する位置に設けられているのでも良い（請求項３）。
【００１０】
この場合は、キャビネットの両側部が連通され、内部に湿気がこもることを防止できる。そしてこれによれば、扉３の上辺に対応する支持部材４によって、天井等から落下する水滴で収納物が濡れることを防止でき、又下辺に対応する支持部材４を収納物の載置箇所として利用できる。
【００１１】
又この場合本発明は、図８等に示されるように、支持部材４の前端面に、扉３の開閉時の衝撃を緩和するための緩衝部材４５が設けられているのが好ましい（請求項４）。
【００１２】
なぜならこれによると、扉３を緩衝部材４５で保護できるから耐久性が良くなり、又開閉時の騒音の発生を防止できるからである。
【００１３】
又本発明は、図１０等に示されるように構成されるのでも良い。
即ちこの本発明は、衛生設備室の壁面１に取り付けて使用する壁取付型キャビネットであって、上記の壁面１に室内側に突き出されて取り付けられる棚板２と、この棚板２の前側に配置されて棚板２の載置物を遮蔽する扉３と、この扉３を支持すると共に、壁面１と扉３との間に通気用スペースＳを形作るため室内側に突き出されて壁面１に取り付けられる支持部材４とで形成され、この支持部材４が横板状に形成され、扉３の上辺と下辺に対応する位置に取り付けられると共に、その前端面に、横方向に延びてレール５が水平状に設けられ、このレール５に案内されて扉３が横方向にスライド自在に設けられていることを特徴とする（請求項５）。
【００１４】
衛生設備室や、壁面１に取り付けられる、の意味は、上例と同様である。この本発明によると、入浴者は身体を後ろに引くことなく扉３を開閉でき、使い勝手が良いものである。
【００１５】
又本発明は、扉３の前面が、鏡に形成されているのが好ましい（請求項６）。
【００１６】
本発明の場合、扉３は、例えば透明状、透光状のアクリル板、ガラス板等で形成されるのでも良いが、この本発明のように、扉３が鏡に形成される場合は、鏡の取り付け位置を部屋の他の壁面１に探す必要がなくなり、又使い勝手が良くなるものである。
【００１７】
又本発明は、図１２に示されるように、棚板２が壁面１に隙間６をあけて取り付けられ、この隙間６にミラー７が通されて鏡面を前方に向けて壁面１に取り付けられているのでも良い（請求項７）。
【００１８】
なぜならこれによると、載置物を取り出しながらミラー７を使用できるだけではなく、棚板２の後側の載置物をミラー７が映し出すため、前方から見え難い収納物を容易に発見でき、この種の収納物の取り出しが便利になるからである。
【００１９】
又この場合本発明は、同図に示されるように、扉３の裏面３ａが、鏡に形成されているのが好ましい（請求項８）。
【００２０】
なぜならこれによれば、壁面１のミラー７と扉３の裏面３ａの鏡とを合わせ鏡として使用でき、一層使い勝手が良くなるからである。
【００２１】
更に本発明は、図１３等に示されるように、棚板２が多段状に、且つ壁面１に向かって上面が下り勾配に取り付けられ、この棚板２が壁面１に当接する位置に排水用の切欠き孔９が形成され、この切欠き孔９が下方の棚板２になるに従って相似状に拡大されているのが好ましい（請求項９）。
【００２２】
なぜならこれによると、棚板２の上面に付着する水を、棚板２の後方に導いて切欠き孔９の縁から下段の棚板２を濡らすことなく落下、排水でき、棚板２の上面を衛生的に維持できるからである。
【発明の効果】
【００２３】
本発明のキャビネットは、壁面に棚板と、支持部材を介して扉を取り付け、通気性スペースによって内部を側方等と連通状に形成している。従ってこれによれば、扉の裏側の通気が良くなり、大掛かりな工事を伴うことなく、簡単、低コストでカビの発生を抑えることができる。
又本発明は、通気性スペースによって扉の上下端や側端を、開閉操作時の手掛かりとすることができる。従ってこれによれば、浴室等の狭い室内に取っ手が突き出ることを防止でき、入浴時に身体が取っ手にぶつかる危険を防止できる。又これによれば、左右何れの手でも簡単に扉を開閉でき、その結果使い勝手が良くなる、という利点がある。
【発明を実施するための最良の形態】
【００２４】
以下、本発明を実施するための最良の形態を説明する。
本発明は、例えば浴室等の衛生設備室の壁面１に取り付けて使用する壁取付型キャビネットである。図１等において、２は棚板であり、この棚板２は上記の壁面１に室内側に突き出されて多段状に複数取り付けられている。
【００２５】
３は、棚板２の載置物を遮蔽する扉である。この扉３は、棚板２の前側に配置され、縦軸Ｌを中心に回転し、片開き式に形成されている。この実施形態の場合は、棚板２の横幅より扉３の横幅が大きく形成され、扉３により棚板２の載置物の全てを遮蔽する状態に形成されている。又扉３の前面は、鏡に形成されている。
【００２６】
４は、扉３を支持する支持部材である。この支持部材４は、壁面１と扉３との間に通気用スペースＳを形作るため室内側に突き出されて壁面１に取り付けられている。支持部材４は、壁面１に後端が取り付けられる上下一対の横木４ａと、この横木４ａの前端に縦方向に渡されて縦軸Ｌを中心に回転する垂直回転棒４ｂと、この垂直回転棒４ｂに扉３を取り付けるため縦軸Ｌと直交する方向に突き出されている扉取付片４ｃとで形成されている。横木４ａと垂直回転棒４ｂとは、図３に示されるように、凹部４ａ１と凸部４ｂ１とが嵌合されることにより枢着されている。この支持部材４により、この実施形態では通気用スペースＳは、キャビネットの上下及び左右に略矩形状に形成されている。
【００２７】
本発明のキャビネットは、このような構成によるため、上下方向、左右方向にエアの流通が可能になる。そのため湿気が内部にこもることがない。収納物の出し入れ操作は、扉３を開閉して行う。この場合、使用者は、扉３の上辺、下辺、及び支持部材４と反対側の側辺を手掛かりとする。従ってこれによれば、扉３の開閉を左右何れの手でも簡単に行うことができる。
【００２８】
以上の処において、上例では棚板２の載置物の全てが扉３で遮蔽可能に形成されているが、本発明はこれに限られず、扉３が載置物の一部を遮蔽する状態に形成されているのでも良い。換言すると、棚板２の横幅が扉３の横幅より長く形成され、棚板２が扉３の側方に突き出されて開放棚型に壁面１に取り付けられているのでも良い。本発明は、通気用スペースＳを有するため、このような棚板２と扉３との組み合わせが可能になる。
【００２９】
又本発明は、図４、図５に示されるように、扉３が観音開きになるよう支持部材４を両側部に配置させて形成するのでも良い。又図６に示されるように、本発明は、扉３が観音開き式と片開き式になるよう支持部材４を配置させて形成するのでも良く、支持部材４の配置位置、扉３の開閉形式は任意である。図６の実施形態の本発明では、各扉３の前面と、左右の扉３（又は中央の扉３を含めた全ての扉３）の裏面を鏡に形成すると、３面鏡仕様となり合わせ鏡としての使用が可能になって、使い勝手が一層良くなるものである。
【００３０】
又本発明は、図７等に示されるように、支持部材４が横板状に形成され、扉３の上辺と下辺に対応する位置に設けられているのでも良い。この場合は、扉３の上辺に対応する支持部材４が天井等から落下する水滴を受けるため収納物が濡れるのを防止でき、又下辺に対応する支持部材４を、収納物の載置箇所として利用できる。横板状の支持部材４は、例えば図９に示されるように、扁平状の角パイプ部材４１と、両側を閉塞するサイドキャップ部材４２で形成されている。角パイプ部材４１は、前端面の両側部に、ドライバーのビットを差し込むためのアクセスホール４１ａが形成され、対応する後面にネジ孔４１ｂが形成されている。４３は、一方のアクセスホール４１ａに止めネジ４４で固定される扉枢着用の金具である。又４５は、扉３の開閉時の衝撃を緩和するための緩衝部材としてのパッキンである。このパッキンは、他方のアクセスホール４１ａに嵌め付けられることにより、支持部材４の前端面に設けられる。この実施形態の場合、支持部材４は、壁面１に、アクセスホール４１ａからドライバーのビットを差し込んで壁面１にネジ４６で取り付けられる。又扉３は、上記の金具４３に枢着され、縦軸Ｌを中心に回転自在に支持部材４に固定される。なお扉３は、上例と同様、前面が鏡に形成されている。この本発明の場合は、キャビネットの両側が連通状に開放されているためエアが左右方向に流れ、内部が乾燥し、カビの発生が抑えられる。
【００３１】
又このように支持部材４が横板状に形成される場合は、図１０、図１１に示されるように、扉３がスライド式に形成されるのでも良い。
即ちこの本発明のキャビネットは、衛生設備室の壁面１に取り付けて使用する壁取付型キャビネットであって、上記の壁面１に室内側に突き出されて取り付けられる棚板２と、この棚板２の前側に配置されて棚板２の載置物を遮蔽する扉３と、この扉３を支持すると共に、壁面１と扉３との間に通気用スペースＳを形作るため室内側に突き出されて壁面１に取り付けられる支持部材４とで形成されている。そしてこの支持部材４が横板状に形成され、扉３の上辺と下辺に対応する位置に取り付けられると共に、その前端面に、横方向に延びてレール５が水平状に例えばネジ止めされ、このレール５に案内されて扉３が横方向にスライド自在に設けられているものである。
【００３２】
レール５は、凹溝状に形成され、上部の支持部材４の前端面に、溝５ａを上にして固定され、下部の支持部材４の前端面に、溝５ａを下にして固定される。又扉３は、上辺の裏側が下向きの鉤形に、下辺の裏側が上向きの鉤形に形成され、上辺と下辺の裏側に、扉３と平行状の係合片３１が形成され、この係合片３１をレール５の溝５ａに係合させて支持部材４に取り付けられている。従ってこの本発明の場合は、扉３を横方向に引く（又は押す）と、扉３がスライドし、収納物の出し入れが可能になる。
【００３３】
又本発明は、図１２に示されるように、棚板２が壁面１に隙間６をあけて取り付けられ、この隙間６にミラー７が通されて鏡面を前方に向けて壁面１に取り付けられているのでも良い。この実施形態の場合は、各棚板２の奥側が同一形状に切欠かれ、この切欠き箇所によって隙間６が形成されている。８は、ミラー７を壁面１に固定するための上下一対のホルダーである。
【００３４】
又本発明は、同図に示されるように、扉３の裏面３ａが、鏡に形成されているのでも良い。この場合は、ミラー７と扉３の裏面３ａの鏡とを合わせ鏡として使用できる。
【００３５】
更に本発明は、図１３に示されるように、棚板２が多段状に、且つ壁面１に向かって上面が下り勾配に取り付けられ、この棚板２が壁面１に当接する位置に排水用の切欠き孔９が形成され、この切欠き孔９が下方の棚板２になるに従って相似状に拡大されているのでも良い。即ち切欠き孔９は、各棚板２の同じ位置に横方向の長さが同一に形成され、又棚板２の奥行き方向の幅（壁面１と切欠き孔９の前縁との間隔）Ｄ１〜Ｄ３が、下方の棚板２になるに従って、次第に大きくなるよう形成されている。従ってこの本発明のキャビネットでは、各棚板２の上面の水滴は、後方に流れて切欠き孔９の縁から落下し、その際、上段の棚板２から落下する水が下段の棚板２にかかることなく、切欠き孔９を通って床に落ち、排水されるものである。
【図面の簡単な説明】
【００３６】
【図１】本発明のキャビネットの好適な一実施形態を示す斜視図である。
【図２】本発明のキャビネットの扉を開いた状態の斜視図である。
【図３】本発明のキャビネットの支持部材の分解斜視図である。
【図４】本発明のキャビネットの他の実施形態を示す斜視図である。
【図５】図４のキャビネットの扉を開いた状態の斜視図である。
【図６】本発明のキャビネットの他の実施形態を示す斜視図である。
【図７】本発明のキャビネットの実施形態を示す斜視図である。
【図８】図７のキャビネットの扉を開いた状態の斜視図である。
【図９】図７のキャビネットの要部分解斜視図である。
【図１０】本発明のキャビネットの他の構成を示す斜視図である。
【図１１】図１０のキャビネットの要部分解斜視図である。
【図１２】本発明のキャビネットの他の実施形態を示す斜視図である。
【図１３】本発明のキャビネットの他の実施形態を示す斜視図である。
【図１４】図１３のXIV−XIV線における要部断面図である。
【符号の説明】
【００３７】
１    壁面
２    棚板
３    扉
４    支持部材
Ｌ    縦軸
Ｓ    通気用スペース
【図１】
2005065894.tif 000003
【図２】
2005065894.tif 000004
【図３】
2005065894.tif 000005
【図４】
2005065894.tif 000006
【図５】
2005065894.tif 000007
【図６】
2005065894.tif 000008
【図７】
2005065894.tif 000009
【図８】
2005065894.tif 000010
【図９】
2005065894.tif 000011
【図１０】
2005065894.tif 000012
【図１１】
2005065894.tif 000013
【図１２】
2005065894.tif 000014
【図１３】
2005065894.tif 000015
【図１４】
2005065894.tif 000016